【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  リーダピンであって、前記リーダピンの端部から離れて位置する少なくとも１つのフランジを有するリーダピンと、
前記リーダピンの少なくとも一部を被う柔軟性エレメントと、そして、
前記柔軟性エレメントを前記リーダピンに保持するクリップと
からなることを特徴とするテープへの取付用リーダピンアセンブリ。
【請求項２】  前記柔軟性エレメント及び前記クリップは、一体的なワンピースエレメントを形成していることを特徴とする請求項１に記載のリーダピンアセンブリ。
【請求項３】  前記リーダピンは少なくとも１つの拡大された端部を有していることを特徴とする請求項１に記載のリーダピンアセンブリ。
【請求項４】  少なくとも１つの拡大された端部と、少なくとも１つのフランジとを有するリーダピンであって、前記少なくとも１つのフランジが、前記少なくとも１つの拡大された端部から離れて位置して、前記少なくとも１つの拡大された端部と前記少なくとも１つのフランジとの間に凹部を形成するところのリーダピンと、
前記リーダピンの少なくとも一部を被う柔軟性エレメントと、そして、
前記柔軟性エレメントを前記リーダピンに保持するクリップと
からなることを特徴とするテープへの取付用リーダピンアセンブリ。
【請求項５】  前記リーダピンは、第１端部と第２端部とを有しており、前記第１端部及び前記第２端部の双方が拡大されていることを特徴とする請求項４に記載のリーダピンアセンブリ。
【請求項６】  前記柔軟性エレメントが、前記リーダピンの中央部を実質的に包囲していることを特徴とする請求項１に記載のリーダピンアセンブリ。
【請求項７】  前記クリップが前記柔軟性エレメント上に保持されるときに、前記クリップを超えて伸びる少なくとも１つの端部を、前記柔軟性エレメントが含んでいることを特徴とする請求項６に記載のリーダピンアセンブリ。
【請求項８】  前記柔軟性エレメントが、前記リーダピンの中央部に位置していることを特徴とする請求項４に記載のリーダピンアセンブリ。
【請求項９】  前記柔軟性エレメントは、前記リーダピンの中央部を実質的に包囲していることを特徴とする請求項８に記載のリーダピンアセンブリ。
【請求項１０】  前記柔軟性エレメントは、前記クリップが前記柔軟性エレメントに取り付けられた状態において、下方から伸びる少なくとも１つの端部を含むことを特徴とする請求項９に記載のリーダピンアセンブリ。
【請求項１１】  前記クリップは、前記柔軟性エレメントを前記リーダピン上に挟持するのに十分な内径を有するＣ形部材であることを特徴とする請求項１に記載のリーダピンアセンブリ。
【請求項１２】  前記クリップは、前記柔軟性エレメントを前記リーダピン上に挟持するのに十分な内径を有するＣ形部材であることを特徴とする請求項４に記載のリーダピンアセンブリ。
【請求項１３】  前記リーダピンは、凸状に湾曲した外面を有する少なくとも１つの端部を備えていることを特徴とする請求項１に記載のリーダピンアセンブリ。
【請求項１４】  前記リーダピンは、第１端部と第２端部とを有しており、前記リーダピンの前記第１端部及び前記第２端部の各々が、凸状に湾曲した外面を有していることを特徴とする請求項４に記載のリーダピンアセンブリ。
【請求項１５】  前記少なくとも１つの拡大された端部が、円弧状の縁を有していることを特徴とする請求項４に記載のリーダピンアセンブリ。
【請求項１６】  前記拡大された端部の各々が、円弧状の縁を有していることを特徴とする請求項４に記載のリーダピンアセンブリ。
【請求項１７】  前記柔軟性エレメントは、エラストマー材料から形成されていることを特徴とする請求項４に記載のリーダピンアセンブリ。
【請求項１８】  前記リーダピンアセンブリは、前記リーダピンと前記柔軟性エレメントとの間にテープを確実に受け入れるに適するように構成されていることを特徴とする請求項１に記載のリーダピンアセンブリ。
【請求項１９】  前記リーダピンアセンブリは、前記リーダピンと前記柔軟性エレメントとの間にテープを確実に受け入れるに適するように構成されていることを特徴とする請求項４に記載のリーダピンアセンブリ。
【請求項２０】  少なくとも１つの拡大された端部と、少なくとも１つのフランジとを有するリーダピンであって、前記少なくとも１つのフランジが、前記少なくとも１つの拡大された端部から離れて位置して、前記リーダピンに凹部を形成するところのリーダピンを供給する工程と、
クリップを供給する工程と、そして、
テープを、前記リーダピンと前記柔軟性エレメントとの間に、前記クリップによって取り付ける工程と
からなることを特徴とするテープへの取付用リーダピンアセンブリの製造方法。
【請求項２１】  前記リーダピンが、
拡大された第１端部と、
前記拡大された第１端部と反対側の拡大された第２端部と、
前記拡大された第１端部から離れて位置する第１フランジであって、前記拡大された第１端部と前記第１フランジとの間に位置する第１凹部を形成する第１フランジと、
前記拡大された第２端部から離れて位置する第２フランジであって、前記拡大された第２端部と前記第２フランジとの間に位置する第２凹部を形成する第２フランジと、そして、
前記第１フランジと前記第２フランジとの間の領域によって限定された中央部と
を有していることを特徴とする請求項２０に記載の方法。
【請求項２２】  前記柔軟性エレメントは、前記リーダピンの中央部を実質的に包囲していることを特徴とする請求項２１に記載の方法。
【請求項２３】  前記柔軟性エレメントは、前記クリップを超えて伸びる少なくとも１つの端部を有していることを特徴とする請求項２２に記載の方法。
【請求項２４】  前記クリップは、前記柔軟性エレメントを前記リーダピン上に挟持するのに十分な内径を有するＣ形部材であることを特徴とする請求項２３に記載のリーダピンアセンブリ。
【請求項２５】  前記テープ及びリーダピンアセンブリを被うためのハウジングを提供するための工程を更に含むことを特徴とする請求項２０に記載の方法。
【請求項２６】  第１端部及び第２端部と、少なくとも２つのフランジとを有する細長いピンであって、前記第１端部及び前記第２端部の双方が拡大されており、前記少なくとも２つのフランジの各々が各々の拡大された端部から離れて位置して、各々の拡大された端部と対応するフランジとの間に凹部を形成し、そして、前記少なくとも２つのフランジ間に中央部を形成するところのピンからなることを特徴とする、テープへの取付用リーダピンアセンブリ。
【請求項２７】  前記リーダピンの前記第１端部及び前記第２端部の各々は、凸状に湾曲した外面を有していることを特徴とする請求項２６に記載のリーダピンアセンブリ。
【請求項２８】  拡大された端部の各々が、円弧状の縁を有していることを特徴とする請求項２６に記載のリーダピンアセンブリ。
【請求項２９】  前記リーダピンの前記第１端部及び前記第２端部の各々が、凸状に湾曲した外面を有していることを特徴とする請求項２６に記載のリーダピンアセンブリ。
【請求項３０】  前記拡大された端部の各々が、円弧状の縁を有していることを特徴とする請求項２６に記載のリーダピンアセンブリ。
【請求項３１】  第１端部及び第２端部を有する細長いピンであって、前記第１端部及び前記第２端部の両者が拡大されているところのピンを供給する工程と、
少なくとも２つのフランジが、拡大された端部の各々から離れて位置して、各々の拡大された端部と対応するフランジとの間に凹部を形成し、そして、前記少なくとも２つのフランジ間に中央部を形成するように、前記少なくとも２つのフランジを前記細長いピン上に位置する工程と
からなるテープへの取付用リーダピンの製造方法。
【請求項３２】  前記リーダピンの前記第１端部及び前記第２端部の各々は、凸状に湾曲した外面を有していることを特徴とする請求項３１に記載の方法。
【請求項３３】  拡大された端部の各々が、円弧状の縁を有していることを特徴とする請求項３１に記載の方法。
【請求項３４】  前記テープの第１テープ端を、前記中央部の外面に取り付ける工程を更に含むことを特徴とする請求項３１に記載の方法。